(57)【要約】      （修正有）【課題】作業者が空気注入孔部を見つけ易く、作業しやすい位置に空気注入孔部が設けられ、空気注入効率を改善することができるスロットマシン梱包材を提供する。【解決手段】スロットマシンを被覆した状態で搬送しうるスロットマシン搬送用梱包具であって、外側用布材１１と上記外側用布材に接合された内側用布材１１ａとを備え、上記外側用布材と上記内側用布材との間に空気を密封して、スロットマシンを被覆しうる被覆用シート部１０を有し、上記被覆用シート部の上端部には空気吹込み用の注入部１７ｂが設けられている。【選択図】図１
0003190571.tif 000002
【実用新案登録請求の範囲】
【請求項１】
スロットマシンを被覆した状態で搬送しうるスロットマシン搬送用梱包材であって、外側用布材と上記外側用布材に接合された内側用布材とを備え、上記外側用布材と上記内側用布材との間に空気を密封して、スロットマシンを被覆しうる被覆用シート部を有し、上記被覆用シート部の上端部には空気吹込み用の注入部が設けられていることを特徴とするスロットマシン梱包材。
【請求項２】
上記被覆用シートには、上記注入部から注入される空気により膨らむ多数のエアバッグ部が設けられていることを特徴とする請求項１記載のスロットマシン梱包材。
【請求項３】
上記外側用布材と内側用布材とは、合成樹脂製であって長方形状に形成され端部において溶着されて帯状の被覆用シート本体が形成されると共に上記被覆用シート本体の長さ方向両端部が接合されて帯状に形成され、スロットマシンの被覆時には、上記スロットマシンの上方から被せ、スロットマシン側面部を被覆することを特徴とする請求項１記載のスロットマシン梱包材。
【請求項４】
上記被覆用シート部本体の幅寸法は、スロットマシンの高さ寸法よりも大きく形成されていることを特徴とする請求項３記載のスロットマシン梱包材。
【請求項５】
上記注入部は、被覆用シート部の上端部に設けられた空気流入路と、上記空気流入路の外方端部に装着された円筒状の注入孔部とからなることを特徴とする請求項１記載のスロットマシン梱包材。
【考案の詳細な説明】
【技術分野】
【０００１】
本考案は、スロットマシンの梱包材に関するものである。
【背景技術】
【０００２】
従来より、空気を注入することによって膨張する合成樹脂フィルムを用いた遊技台用梱包材は特許文献１及び特許文献２より既に提案されている。
【０００３】
しかしながら、特許文献１及び特許文献２では、外側用布材と内側用布材によって全体長方形状の梱包材が形成され、上下方向に夫々空気密封部が設けられ、上下の空気密封部の間に空気流入路と、空気流入路の外方端部に空気注入孔部が設けられている。そのため、空気密封部に空気を注入した場合には、空気は上下に分岐し、空気注入効率が悪く、梱包材の形成作業が煩雑である、という不具合があった。
【０００４】
また、スロットマシンを梱包した際、上下方向中央に位置する空気注入孔部は作業者にとって見つけにくく、空気注入作業もしにくい、という不具合もあった。さらに、合成樹脂フィルムから成る空気注入孔部は、長期間経過すると、合成樹脂フィルム同士が接着して塞がってしまうという問題もあった。
【特許文献１】実用新案登録第３１６６１６６号公報
【特許文献２】特許第４１１９４６８号公報
【考案の開示】
【考案が解決しようとする課題】
【０００５】
そこで、本願考案は、このような従来の要請に基づくものであってその課題は、作業者が空気注入孔部を見つけ易く、作業しやすい位置に空気注入孔部が設けられ、空気注入効率を改善することができるスロットマシン梱包材を提供することにある。
【課題を解決するための手段】
【０００６】
上記課題を解決するために、請求項１に記載の考案にあっては、スロットマシンを被覆した状態で搬送しうるスロットマシン搬送用梱包具であって、外側用布材と上記外側用布材に接合された内側用布材とを備え、上記外側用布材と上記内側用布材との間に空気を密封して、スロットマシンを被覆しうる被覆用シート部を有し、上記被覆用シート部の上端部には空気吹込み用の注入部が設けられていることを特徴とする。
【０００７】
請求項２に記載の考案にあっては、上記被覆用シートには、上記注入部から注入される空気により膨らむ多数のエアバッグ部が設けられていることを特徴とする。
【０００８】
請求項３に記載の考案にあっては、上記外側用布材と内側用布材とは、合成樹脂製であって長方形状に形成され端部において溶着されて帯状の被覆用シート本体が形成されると共に上記被覆用シート本体の長さ方向両端部が接合されて帯状に形成され、スロットマシン被覆時には、上記スロットマシンの上方から被せ、スロットマシン側面部を被覆することを特徴とする。
【０００９】
請求項４に記載の考案にあっては、上記被覆用シート部本体の幅寸法は、スロットマシンの高さ寸法より大きく形成されていることを特徴とする。
【００１０】
請求項５に記載の考案にあっては、上記注入部は、被覆用シート部の上端部に設けられた空気流入路と、上記空気流入路の外方端部に装着された円筒状の注入孔部とからなることを特徴とする。
【考案の効果】
【００１１】
請求項１に記載のスロットマシン梱包材にあっては、被覆用シート部の上端部に空気吹込み用の注入部が設けられていることから、空気を吹込み、スロットマシン梱包材を形成する際に、作業者にとって空気吹込み用の注入部を探し易く、空気注入作業しやすい。また、空気吹込み用の注入部の下方に位置する空気密封部に空気を送ることにより梱包材を形成するように構成されているため、空気注入効率が良く、容易にスロットマシン梱包材を形成することができる。
【００１２】
請求項２に記載のスロットマシン梱包材にあっては、被覆用シートには、注入部から注入される空気により膨らむ多数のエアバッグ部が設けられていることから、大きな耐衝撃性を確保することができる。
【００１３】
請求項３及び請求項４に記載のスロットマシン梱包材にあっては、スロットマシンの上方から被せ、スロットマシン側面部のみを被覆するだけなので、梱包作業が容易となる。
【００１４】
従来は、長期間経過すると、経年劣化により合成樹脂フィルム同士が接着して空気注入孔が塞がってしまうという問題があったが、請求項５に記載のスロットマシン梱包材にあっては、空気流入路の外方端部に円筒状の注入孔部が別体に装着されていることから、従来の不具合を解消することができる。
【図面の簡単な説明】
【００１５】
【図１】本実施例に係る被覆用シート部の構造を示す平面図である。
【図２】被覆用シート本体の長さ方向両端部を接合し帯状に形成し、スロットマシンの上方から被せたことを示す図である。
【考案を実施するための最良の形態】
【００１６】
以下、本考案を実施の形態に基づき、図面を参照して詳細に説明する。なお、本考案の表示シートは、以下の実施例に限定されるものではなく、本考案の要旨を逸脱しない範囲内において種々変更を加え得ることは勿論である。
【００１７】
図１に示すように、本実施の形態に係るスロットマシン梱包材は、スロットマシンを被覆した状態で搬送しうるように構成され、外側用布材１１と上記外側用布材１１に接合された内側用布材１１ａとを備え、上記外側用布材１１と上記内側用布材１１ａとの間に空気を密封して、スロットマシンを被覆しうる被覆用シート１０部を有し、上記被覆用シート１０部の上端部には空気吹込み用の注入部１７ｂが設けられている。
【００１８】
上記被覆用シート１０には、上記注入部１７ｂから注入される空気により膨らむ多数のエアバッグ部１６が設けられている。
【００１９】
上記注入部１７ｂは、被覆用シート１０部の上端部に設けられた空気流入路１７ａと、上記空気流入路１７ａの外方端部に装着された円筒状の注入孔部１７ｃとから成る。
【００２０】
図２に示すように、上記外側用布材１１と内側用布材１１ａとは、合成樹脂製であって長方形状に形成され端部において溶着されて帯状に形成されると共に上記被覆用シート本体の長さ方向両端部が接合されて帯状に形成され、スロットマシン２１の被覆時には、上記スロットマシン２１の上方から被せ、スロットマシン２１側面部を被覆する。
【００２１】
本実施例に係る被覆用シート１０を製造する場合には、上部かつ内側に離形帯１８を有するバルブフィルム１２及び１２ａを、内側用布材１１ａの上方に配置し、その上に外側用布材１１を重ね、上記外側用布材１１の上部及び下部を接着して、接着ライン１３及び１３ａを形成する。
【００２２】
上記離形帯上に、一定間隔で、バルブフィルム１２及び１２ａと外側用布材１１及び内側用布材１１ａを接着する接着部１４を設ける。接着ライン１３ａの内側に複数列の仕切りライン１５を形成し、エアバッグ部１６を形成する。上記離形帯１８上に接着ライン１９を形成することにより、バルブフィルム１２の外面と外側用布材１１の内面及びバルブフィルム１２ａの外面と内側用布材１１ａの内面を接着する。
【００２３】
ガイド接着部２０は、上記バルブフィルム１２の一方の面だけが上記外側用布材１１の一面に接着され、上記バルブフィルム１２及び１２ａが上記外側用布材１１の一方の面にしっかりと固定される。
【００２４】
その結果、上記被覆用シートの上部に、上記外側用布材１１及び内側用布材１１ａから成る空気流入路１７ａが形成され、上記空気流入路１７ａの外方端部に空気吹込み用の孔である注入部１７ｂが形成される。さらに、上記注入部１７ｂに、円筒状の注入孔部１７ｃを装着することで、経年劣化により合成樹脂フィルム同士が接着して注入部１７ｂが塞がってしまうという問題を解消することができる。
【産業上の利用可能性】
【００２５】
本考案は、スロットマシンを梱包するための梱包材に適用可能であり、産業上の利用可能性を有している。
【符号の説明】
【００２６】
１０  被覆用シート
１１  外側用布材
１１ａ内側用布材
１２  バルブフィルム
１２ａバルブフィルム
１３  接着ライン
１３ａ接着ライン
１４  接着部
１５  仕切りライン
１６  エアバッグ部
１７ａ空気流入路
１７ｂ注入部
１７ｃ円筒状の注入孔部
１８  離形帯
１９  接着ライン
２０  ガイド接着部
２１  スロットマシン
【図１】
0003190571.tif 000003
【図２】
0003190571.tif 000004